(57)【特許請求の範囲】
【請求項１】
穿孔刃を備えた回転体が、切り屑の散乱を防止するカバー体を備えた本体に対して回転することによって、壁材等に透孔を穿孔する穿孔具において、前記本体に対して前記回転体の回動を防止可能な穿孔刃の回動防止構造であって、
前記穿孔刃を備えた回転体に設けられた第一係合部と、
前記本体に設けられた第二係合部と、を備えた穿孔具と、
前記穿孔刃の交換時に、前記カバー体の開口から挿入され、前記回転体の第一係合部及び本体の第二径合部とに係合して、前記本体に対して前記回転体が相対的に回動するのを防止する回動防止体と、を具備することを特徴とする穿孔刃の回動防止構造。
【請求項２】
穿孔具の穿孔刃を備えた回転体が、本体に対して回転することによって壁材等に透孔を穿孔する穿孔具において、
前記回転体に設けられ、回転軸方向に貫通する貫通孔と、
穿孔具の本体に備えられた切粉の飛散を防止するカバー体に前記回転体の貫通孔と対応して設けられた挿嵌部と、
前記穿孔刃の交換時に、前記回転体の貫通孔を貫通するとともに、先端部が前記カバー体の挿嵌部に挿嵌されることで、前記本体に対して前記回転体が相対的に回動するのを防止する回り止めピンと、を具備することを特徴とする穿孔刃の回動防止構造。
【請求項３】
前記カバー体は、側方に開口可能であるとともに、前記回動防止体が取付けられたとき、前記回転体の穿孔刃は前記カバー体の側方の開口に臨む位置に保持されることを特徴とする請求項１または請求項２に記載の穿孔刃の回動防止構造。
【発明の詳細な説明】
【０００１】
【発明の属する技術分野】
本発明は壁材等の板材に穿孔する穿孔具において、穿孔刃の取替時に前記穿孔刃を備えた回転体が回動するのを防止する穿孔刃の回動防止構造に関するものである。
【０００２】
【従来の技術】
従来より、穿孔具を使用して板材に穿孔することが行なわれており、例えば、壁材の裏面に取付けられた配線ボックス等の開口面を壁表に臨ませるべく壁材に穿孔する場合などでは、図５及び図６に示すような穿孔具が使用されることがある。
図において、穿孔具１は、ハンディータイプの回転駆動工具に先端が着脱自在に取付され、該回転駆動工具により回転駆動する回転軸２と、該回転軸２に一端が着脱自在に止着され、壁材等の板材に穿設する透孔の穿孔中心の位置を提供するセンター軸３と、中心貫通孔に前記回転軸２の下方が着脱自在に挿嵌され、かつ、前記中心貫通孔より所定の間隔離間して相対向する穿孔刃６を有する回転体４と、前記回転体４の移動距離を制限する切込み深さ調節手段を備え、穿設時には手で把持する部分ともなるとともに、透孔を穿設する時に発生する切り屑の散乱を防止するカバー体９を備えた本体８とで構成されている。
【０００３】
前記回転体４はねじ５ａを介して刃体ブラケット５が止着されており、更にこの刃体ブラケット５の外側壁には固定ねじ７の頭部によって穿孔刃６が挟持、固定されている。そして、前記穿孔刃６は、穿孔具１の側方からドライバー等を使用して前記固定ねじ７を緩めることにより、センター軸方向に脱着できるようになっている。
【０００４】
前記カバー体９は、前記本体８に一体に形成され、前記回転体４の全体を覆うカップ状の筒状部９ａと、この筒状部９ａの側面に形成された開口に着脱自在に取付けられた蓋部材９ｂとで構成されている。
【０００５】
このように構成された従来の穿孔具１は、穿孔刃６を交換するときは、穿孔具１の側方からドライバー等を使用して刃体ブラケット５との間で挟持している固定ねじ７を緩め、センター軸方向に取外した後、逆の手順で新しい穿孔刃６を刃体ブラケット５の外側壁に当接し、固定ねじ７を締付けて行なうことができる。
【０００６】
【発明が解決しようとする課題】
しかし、従来の穿孔具は、穿孔刃６を取替える場合に、ドライバー等で固定ねじ７を緩めたり、締付けるときに、回転体４が左右に回動し易く、安定した締付作業ができなかった。そればかりか、固定ねじ７を緩め始めるとき、或いは、最後に固く締付けるときなどにおいて、押付け時のはずみでドライバー等がそれて外れ、急激に回転体４が回動して穿孔刃６が移動し、反対側の穿孔刃６で手を切ったりするおそれがあり、大変危険であった。そして、その結果、締付作業は慎重にならざるを得なかった。
【０００７】
そこで、本発明は、穿孔刃の交換、取付け作業を安全に行なうことができる穿孔刃の回動防止構造の提供を課題とするものである。
【０００８】
【課題を解決するための手段】
請求項１の発明にかかる穿孔刃の回動防止構造は、穿孔刃を備えた回転体が、切り屑の散乱を防止するカバー体を備えた本体に対して回転することによって、壁材等に透孔を穿孔する穿孔具において、前記本体に対して前記回転体の回動を防止可能な穿孔刃の回動防止構造であって、前記穿孔刃を備えた回転体に設けられた第一係合部と、前記本体に設けられた第二係合部と、を備えた穿孔具と、前記穿孔刃の交換時に、前記カバー体の開口から挿入され、前記回転体の第一係合部及び本体の第二径合部とに係合して、前記本体に対して前記回転体が相対的に回動するのを防止する回動防止体とを備えたものである。
【００１０】
請求項２の発明にかかる穿孔刃の回動防止構造は、穿孔具の穿孔刃を備えた回転体が、本体に対して回転することによって壁材等に透孔を穿孔する穿孔具において、前記回転体に設けられ、回転軸方向に貫通する貫通孔と、穿孔具の本体に備えられた切粉の飛散を防止するカバー体に前記回転体の貫通孔と対応して設けられた挿嵌部と、前記穿孔刃の交換時に、前記回転体の貫通孔を貫通するとともに、先端部が前記カバー体の挿嵌部に挿嵌されることで、前記本体に対して前記回転体が相対的に回動するのを防止する回り止めピンとを備えたものである。
【００１１】
請求項３の発明にかかる穿孔刃の回動防止構造は、前記カバー体が側方に開口可能であるとともに、前記回動防止体が取付けられたとき、前記回転体の穿孔刃は前記カバー体の側方の開口に臨む位置に保持されるものである。
【００１２】
【発明の実施の形態】
以下、本発明の実施例を図１乃至図４に基づいて説明する。
図において、穿孔具１は、ハンディータイプの回転駆動工具に先端が着脱自在に取付され、該回転駆動工具により回転駆動する回転軸２と、該回転軸２に一端が着脱自在に止着され、壁材等の板材に穿設する透孔の穿孔中心の位置を提供するセンター軸３と、板材に穿設する透孔の中心位置と同心状の中心貫通孔４ａに前記回転軸２の下方が着脱自在に挿嵌され、かつ、前記中心貫通孔より所定の間隔離間して相対向する一対の穿孔刃６を有する回転体４と、前記回転体４の移動距離を制限する切込み深さ調節手段を備え、穿設時に手で把持する部分ともなるとともに、透孔を穿設する時に発生する切り屑の散乱を防止するカバー体９を備えた本体８とで構成されている。したがって、本体８に対して回転体４のみが回転する構成となっている。
【００１３】
前記回転体４は、前記中心貫通孔４ａの内面に軸線方向へ切欠いた凹部に前記回転軸２の下方外面に形成された凸部を枢支し、回り止め状態に止着されている。また、この回転体４において、前記中心貫通孔４ａより所定の間隔離間した両側の位置には固着部４ｂが形成されており、この固着部４ｂには略直方体形状の刃体ブラケット５がねじ５ａを介して取付けられている。更に、この刃体ブラケット５の外側壁は雌ネジが螺刻されており、該雌ネジに螺着せしめた固定ねじ７の頭部と前記刃体ブラケット５の外側壁との間で、板材を切削するための穿孔刃６を挟持している。そして、前記穿孔刃６は、穿孔具１の側方からドライバー等を使用して前記固定ねじ７を緩めることにより、センター軸方向に脱着できるようになっている。
【００１４】
更に、回転体４の対向する端部には一対の貫通孔４ｃが形成され、また、本体８と一体化したカバー体９の底壁には前記貫通孔４ｃと対向する位置に一対の挿嵌部９ｃが設けられていて、前記カバー体９の開口から丸棒の回り止めピン１０を挿入して回転体４の貫通孔４ｃに挿通し、カバー体９の挿嵌部９ｃに挿嵌できるようになっている。
【００１５】
一方、前記カバー体９は、前記回転体４の全体を覆うカップ状の筒状部９ａと、この筒状部９ａの側面に形成された開口に着脱自在に取付けられた蓋部材９ｂとで構成されている。
また、前記センター軸３は板材と当接して押圧されたときに伸縮ばね２ａを介して内部側に後退できるようになっている。
【００１６】
次に、上記のように構成された穿孔具における穿孔刃の交換作業について説明する。
穿孔刃６を取替えるには、まず、図１に示すように、回り止めピン１０を穿孔具１の回転体４の貫通孔４ｃに挿通し、更に、カバー体９の挿嵌部９ｃに挿嵌して回り止め状態とする。次に、図４に示すように、カバー体の蓋部材９ｂを取外してドライバーで固定ねじ７を緩めて穿孔刃６を軸方向に移動させて取外す。そして、新しい穿孔刃６を取付けてドライバーで固定ねじ７を締付ける。次いで、一旦回り止めピン１０を取外して回転体４を１８０度回動し、再び回り止めピン１０を差込んで、同様にして、反対側の穿孔刃６を交換する。穿孔刃６を交換した後は、蓋部材９ｂを取付け、回り止めピン１０を取外して、穿孔具１を使用する。
【００１７】
このように、本実施例の穿孔刃の回動防止構造は、穿孔具１の穿孔刃６を備えた回転体４に設けられた回転軸方向に貫通する第一係合部としての貫通孔４ｃに回動防止体としての回り止めピン１０を貫通させるとともに、その回り止めピン１０の先端部を、穿孔具１の本体８に前記回転体４の貫通孔４ｃと対応して設けられた第二係合部としての挿嵌部９ｃに挿嵌するものである。
【００１８】
したがって、穿孔刃６を交換するときにおいて、ドライバー等で固定ねじ７を緩め、或いは、締付けている間は、回転体４ひいては穿孔刃６は一定位置に保持されるので、穿孔刃６の交換作業を安定して行なうことができる。そして、特に固定ねじ７を緩め始めるとき、或いは、最後に固く締付けるときなどにおいて、押付け時のはずみでドライバー等がそれて外れ、急激に回転体４が回動して穿孔刃６が移動することにより、反対側の穿孔刃６で手を切ったりする危険を確実に回避でき、安心して交換作業を行なうことができる。
【００１９】
また、本実施例の穿孔具１はカバー体９を備えているが、回転体４は穿孔刃６の固定ねじ７が前記カバー体９の蓋部材９ｂを取外したときの開口から外部に臨む一定位置に保持されるので、カバー体９の壁材と対向する前面開口側から筒状部９ａの狭い隙間内に手を入れて穿孔刃６を交換する場合と比較して、作業が容易であり、確実に交換することができ、かつ、安全に作業することができる。
【００２０】
ところで、上記実施例の穿孔具１は、カバー体９を備えたものを示しているが、本発明を実施する場合には、カバー体９を備えていない穿孔具にも適用することができる。この場合には、請求項１の態様に相当する。また、センター軸３は壁材に当接し、押圧されたときに、内部の伸縮ばねを介して後退可能なものとなっているが、センター軸が固定され、後退しない穿孔具にも適用することができる。
【００２１】
そして、上記実施例では、回動防止体である回り止めピン１０は丸棒で形成されているが、これに限られず、例えば、角棒であってもよい。更に、上記実施例では、請求項の第一係合部を回転体４の貫通孔４ｃで、第二係合部をカバー体９の挿嵌部９ｃで形成しているが、本発明を実施する場合は、貫通孔４ｃに棒部材である回り止めピン１０を挿通して係合するものに限らず、例えば、回転体４及び本体８に側方に開口する係止凹部等を形成し、回動防止体をこれらの係止凹部等と係合する係止突起を備えたものとして回動を防止してもよい。また、その他に、本体８に上下方向に進退する係止突起を設け、スライド操作によって回転体４の回動を防止するようにしてもよく、要するに、本体８に対して回転体４が回動しないよう一定位置に保持できればいかなるものであっても構わない。
【００２２】
【発明の効果】
以上のように、請求項１の発明の穿孔刃の回動防止構造は、穿孔具の穿孔刃を備えた回転体に設けられた第一係合部と、穿孔具の本体に設けられた第二係合部と、前記回転体の第一係合部及び本体の第二係合部とに係合して、前記本体に対して前記回転体が相対的に回動するのを防止する回動防止体とを備えたものである。したがって、穿孔刃の交換時に、回動防止体を使用することにより、本体に対して回転体を常に一定位置に保持できるので、交換時のはずみでドライバー等がそれて外れ、急激に回転体が回動して穿孔刃で手を切ったりする危険を確実に回避でき、安心して穿孔刃の交換作業を行なうことができる。
【００２３】
また、この請求項１に記載の穿孔具の本体は切粉の飛散を防止するカバー体を備えている。したがって、カバー体の側方を開口可能とし、その開口から回動を防止された回転体の穿孔刃の交換を行なうことができるので、カバー体の前面開口から狭い隙間内に手を入れて操作する場合に比べて安全かつ容易に交換作業を行なうことができる。
【００２４】
請求項２の発明の穿孔刃の回動防止構造は、穿孔具の穿孔刃を備えた回転体に設けられ、回転軸方向に貫通する貫通孔と、穿孔具の本体に備えられた切粉の飛散を防止するカバー体に前記回転体の貫通孔と対応して設けられた挿嵌部と、前記回転体の貫通孔を貫通し、先端部が前記カバー体の挿嵌部に挿嵌されて、前記本体に対して前記回転体が相対的に回動するのを防止する回動防止体とを備えたものである。したがって、特に、簡易な構造で回転体の回動を防止することができる。
【００２５】
請求項３の発明の穿孔刃の回動防止構造は、請求項１または請求項２に記載の前記カバー体が側方に開口可能であるとともに、前記回動防止体が取付けられたとき、前記回転体の穿孔刃は前記カバー体の側方の開口に臨む位置に保持されるものである。したがって、特に、穿孔刃の交換時は、前記穿孔刃は前記カバー体の開口部に臨んでいるため、穿孔刃の交換作業を確実かつ安全に行なうことができる。
【図面の簡単な説明】
【図１】本発明の実施例における穿孔刃の回動防止構造を示す斜視図である。
【図２】本発明の実施例における穿孔刃の回動防止構造を示す縦断面図である。
【図３】図２のＡ−Ａ切断線による断面図である。
【図４】図１の穿孔刃を交換するときの状態を示す斜視図である。
【図５】従来の穿孔具を示す斜視図である。
【図６】従来の穿孔具における穿孔刃を交換するときの状態を示す斜視図である。
【符号の説明】
１    穿孔具
４    回転体
４ｃ  貫通孔
８    本体
９    カバー体
９ｃ  挿嵌部
１０  回り止めピン
【図１】
0003893571.tif 000002
【図２】
0003893571.tif 000003
【図３】
0003893571.tif 000004
【図４】
0003893571.tif 000005
【図５】
0003893571.tif 000006
【図６】
0003893571.tif 000007